(57)【要約】【課題】照明器具の発色の再現性を高くし、操作性が向上した光調整装置および光調整システムを提供する。【解決手段】実施形態によれば、第１光調整部と、第２光調整部と、表示部と、を具備した光調整装置が提供される。前記第１光調整部は、照明負荷の光属性を調整するとともに調整した前記照明負荷の光属性に関する第１データを生成する。前記第２光調整部は、前記第１データに基づいて前記第１データに類似の第２データを生成するとともに、前記第１データと前記第２データとに基づいて前記第１データを調整することができる。前記表示部は、前記第１データ、前記第２データ及び前記調整後の前記第１データを表示することができる。【選択図】図１
2015220027.tif 000002
【特許請求の範囲】
【請求項１】
照明負荷の光属性を調整するとともに調整した前記照明負荷の光属性に関する第１データを生成する第１光調整部と；
前記第１データに基づいて前記第１データに類似の第２データを生成するとともに、前記第１データと前記第２データとに基づいて前記第１データを調整することができる第２光調整部と；
前記第１データ、前記第２データ及び前記調整後の前記第１データを表示することができる表示部と；
を具備したことを特徴とする光調整装置。
【請求項２】
前記第１データは、赤、緑、青の３原色に基づくデータを有し、
前記第２データは、前記３原色に基づくデータ、及び、前記３原色に基づくデータを変換したデータを有する請求項１記載の光調整装置。
【請求項３】
前記第２データは、前記３原色に基づくデータ、及び、前記３原色に基づくデータを変換したデータを増加率ｎを用いて修正したデータを有する請求項２記載の光調整装置。
【請求項４】
前記表示部は、前記第１データ及び前記第２データを表す色度図を表示する請求項１〜３のいずれかに記載の光調整装置。
【請求項５】
請求項１〜４のいずれかに記載の光調整装置と；
前記光調整装置からの制御信号を受信して光調整信号を生成する制御装置と；
前記光調整信号を受信する照明負荷と；
を具備した光調整システム。
【発明の詳細な説明】
【技術分野】
【０００１】
本発明の実施形態は、光調整装置および光調整システムに関する。
【背景技術】
【０００２】
照明器具の発色を調整する光調整装置がある。照明器具の発色を調整するための操作は、ＧＵＩ（Graphical User Interface）を用いて行われる。
【０００３】
このような光調整装置において、照明器具の発色は、色の成分に分解したＲＧＢ、ＣＭＹ、ＨＳＶ等のカラーモデルによって調整される。照明器具の発色の再現性を高くし、操作性が向上した光調整装置が望まれる。
【先行技術文献】
【特許文献】
【０００４】
【特許文献１】特開２００７−２９４２５９号公報
【発明の概要】
【発明が解決しようとする課題】
【０００５】
本発明の実施形態は、照明器具の発色の再現性を高くし、操作性が向上した光調整装置および光調整システムを提供する。
【課題を解決するための手段】
【０００６】
本発明の実施形態によれば、第１光調整部と、第２光調整部と、表示部と、を具備した光調整装置が提供される。前記第１光調整部は、照明負荷の光属性を調整するとともに調整した前記照明負荷の光属性に関する第１データを生成する。前記第２光調整部は、前記第１データに基づいて前記第１データに類似の第２データを生成するとともに、前記第１データと前記第２データとに基づいて前記第１データを調整することができる。前記表示部は、前記第１データ、前記第２データ及び前記調整後の前記第１データを表示することができる。
【発明の効果】
【０００７】
本発明の実施形態によれば、照明器具の発色の再現性を高くし、操作性が向上した光調整装置および光調整システムを提供することができる。
【図面の簡単な説明】
【０００８】
【図１】本実施形態に係る光調整システムを示す模式図である。
【図２】本実施形態に係る光調整装置の一部を示す模式図である。
【図３】図３（ａ）〜図３（ｃ）は、本実施形態に係る第１光調整部を示す模式図である。
【図４】本実施形態に係る第２光調整部を示す模式図である。
【図５】図５（ａ）及び図５（ｂ）は、本実施形態に係る第２光調整部による色調整を例示する模式図である。
【図６】本実施形態に係る別の第２光調整部を示す模式図である。
【図７】本実施形態に係る光調整システムを用いた光調整方法を示す図である。
【発明を実施するための形態】
【０００９】
実施形態に係る発明は、照明負荷の光属性を調整するとともに調整した前記照明負荷の光属性に関する第１データを生成する第１光調整部と；前記第１データに基づいて前記第１データに類似の第２データを生成するとともに、前記第１データと前記第２データとに基づいて前記第１データを調整することができる第２光調整部と；前記第１データ、前記第２データ及び前記調整後の前記第１データを表示することができる表示部と；を具備したことを特徴とする光調整装置である。
この光調整装置によれば、照明器具の発色の再現性を高くし、操作性を向上させることができる。
【００１０】
また、前記第１データは、赤、緑、青の３原色に基づくデータを有し、前記第２データは、前記３原色に基づくデータ、及び、前記３原色に基づくデータを変換したデータを有する光調整装置である。
この光調整装置によれば、色の３原色に基づくデータに基づいて光属性を調整できるので、照明器具の発色の再現性を高くし、操作性を向上させることができる。
【００１１】
また、前記第２データは、前記３原色に基づくデータ、及び、前記３原色に基づくデータを変換したデータを増加率ｎを用いて修正したデータを有する光調整装置である。
この光調整装置によれば、増加率ｎを用いて光属性を調整できるので、照明器具の発色の再現性を高くすることができる。
【００１２】
また、前記表示部は、前記第１データ及び前記第２データを表す色度図を表示する光調整装置である。
この光調整装置によれば、色度図を用いて光属性を調整できるので、照明器具の発色の再現性を高くし、操作性を向上させることができる。
【００１３】
また、実施形態に係る発明は、光調整装置と；前記光調整装置からの制御信号を受信して光調整信号を生成する制御装置と；前記光調整信号を受信する照明負荷と；を具備した光調整システムである。
この光調整システムによれば、照明器具の発色の再現性を高くし、操作性を向上させることができる。
【００１４】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１５】
（本実施形態）  
図１は、本実施形態に係る光調整システムを例示する模式図である。  
図１に表したように、光調整システム１００は、光調整装置１０と、制御装置２０と、照明負荷３０ａ、３０ｂ、３０ｃ（以下、照明負荷３０ａ、３０ｂ、３０ｃを総称して照明負荷３０と呼ぶ場合がある。）と、を備える。光調整装置１０は、制御装置２０と有線又は無線で電気的に接続されている。制御装置２０は、照明負荷３０と有線又は無線で電気的に接続されている。例えば、本実施形態の光調整システム１００は、ホール又は劇場等の屋内照明に使用される。本実施形態の光調整システム１００を家庭用の照明に用いても良い。
【００１６】
本明細書において、照明負荷３０の光を調整することは、照明負荷３０の光属性を調整することを意味する。光属性は、明度、色彩及び色相等を含む。例えば、照明負荷３０の光を調整することで照明負荷３０の明度及び／又は発色が調整される。照明負荷３０の光を調整することで照明負荷３０の調光及び／又は調色が行われる。
【００１７】
光調整装置１０は、例えば、調光操作卓である。光調整装置１０は、操作部１１と、表示部１２と、送信部１３と、制御部１４と、を備える。例えば、光調整装置１０は、図示しないＣＰＵ（Central Processing Unit）及びメモリ等を備える。
【００１８】
操作部１１は、例えば、キーボード及びマウス等である。使用者が操作部１１の操作を実行して、照明負荷３０の光属性を制御する制御情報が生成される。
表示部１２は、例えば、ＬＣＤ(Liquid Crystal Display)等のディスプレイである。例えば、表示部１２は、制御情報を表示する。
【００１９】
使用者は、操作部１１及び表示部１２を用いて照明負荷３０の光属性を調整する。例えば、照明負荷３０の光属性（例えば、明度及び発色）を調整する際の調整率は、百分率（％）で表される。調整率は、調光率及び調色率等である。制御情報に基づいて制御信号が生成される。制御信号は、例えば、ＤＭＸ（Digital Multiplex）信号等である。
【００２０】
送信部１３は、制御装置２０に制御信号を送信する。例えば、送信部１３は、制御装置２０からの光調整結果に基づく信号を受信することもできる。
制御部１４は、操作部１１の操作に基づいて制御情報を生成する。例えば、生成された制御情報は、メモリに格納される。
【００２１】
制御装置２０は、例えば、調光制御盤である。制御装置２０は、光調整装置１０から送信された制御信号に基づいて、照明負荷３０に供給する光調整信号を生成する。制御装置２０から照明負荷３０に光調整信号を送信することで照明負荷３０の光属性が調整される。例えば、制御装置２０から照明負荷３０に光調整信号を送信することで照明負荷３０の明度及び発色が調整される。
【００２２】
光調整信号は、例えば、調光信号である。制御装置２０によって生成される調光信号は、照明負荷３０ａ、３０ｂ、３０ｃの調光率に応じて定められたデューティ比の異なるＰＷＭ（Pulse Width Modulation）信号である。光調整信号は、例えば、調色信号である。
【００２３】
制御装置２０は、明度について照明負荷３０に電力を供給し、発色について光調整信号（例えば、調色信号）を送信して照明負荷３０を制御しても良い。このような場合、光調整信号は、制御装置２０から照明負荷３０に供給される電力に重畳される。照明負荷３０の明度について、制御装置２０は、照明負荷３０ａ、３０ｂ、３０ｃを点灯させる電力を有し、光制御信号に応じて変調した電力を照明負荷３０ａ、３０ｂ、３０ｃに供給して制御を行う。
【００２４】
照明負荷３０は、例えば、ＬＥＤ（Light Emitting Diode）等の照明器具である。制御装置２０から送られた光調整信号によって照明負荷３０の光属性が調整される。
【００２５】
図２は、本実施形態に係る光調整装置の一部を例示する模式図である。
図３（ａ）〜図３（ｃ）は、本実施形態に係る第１光調整部を例示する模式図である。
図４は、本実施形態に係る第２光調整部を例示する模式図である。
図５（ａ）及び図５（ｂ）は、本実施形態に係る第２光調整部による色調整を例示する模式図である。
【００２６】
図２に表されるように、制御部１４は、選択部１５と、第１光調整部１６と、第２光調整部１７と、信号生成部１８と、を備える。
【００２７】
選択部１５は、第１光調整部１６において照明負荷３０の光属性を調整するためのカラーモデルを選択するものである。カラーモデルは、例えば、ＲＧＢ、ＣＭＹ、ＨＳＶ等である。例えば、使用者が操作部１１の操作を実行することで、カラーモデルは選択される。第１光調整部１６が、選択部１５を備えても良い。カラーモデルは予め決められていても良い。
【００２８】
第１光調整部１６は、照明負荷３０の光属性を調整する。第１光調整部１６は、選択部１５によって選択されたカラーモデルに基づいて、照明負荷３０の光属性を調整する。例えば、カラーモデルの各々で表現される色の各成分に対応したフェーダーが操作部１１（例えば、マウス）によって上下に操作されて照明負荷３０の発色等が一時的に決定される。カラーモデルが表示部１２に表示されている場合、フェーダーをタッチ操作して照明負荷３０の発色等が一時的に決定されても良い。
【００２９】
図３（ａ）に表されるように、ＲＧＢのカラーモデルを用いて、第１光調整部１６が照明負荷３０の発色を調整する場合、ＲＧＢに対応するフェーダー１６ａ、１６ｂ、１６ｃが操作部１１によって上下に操作されて照明負荷３０の発色が一時的に決定される。
【００３０】
図３（ｂ）に表されるように、ＣＭＹのカラーモデルを用いて、第１光調整部１６が照明負荷３０の発色を調整する場合、ＣＭＹに対応するフェーダー１６ｄ、１６ｅ、１６ｆが操作部１１によって上下に操作されて照明負荷３０の発色が一時的に決定される。
【００３１】
図３（ｃ）に表されるように、ＨＳＶのカラーモデルを用いて、第１光調整部１６が照明負荷３０の発色を調整する場合、Ｈ成分１６ｇ（色相）及びＳ成分１６ｈ（色彩）を縦軸及び横軸にそれぞれ定めて、発色を表現した平面図上の任意の点を指定する。そして、Ｖ成分（明度）に対応するフェーダー１６ｉが操作部１１によって上下に操作されて照明負荷３０の明度を指定する。照明負荷３０の発色が一時的に決定される。
【００３２】
第２光調整部１７は、照明負荷３０の光属性を調整する。例えば、使用者が操作部１１の操作を実行することで、図４に表されるような画面が表示部１２に表示される。領域１７ａは、第１光調整部１６によって一時的に決定された照明器具３０の発色が第２光調整部１７によって微調整される領域である。例えば、領域１７ａは、図４の左側に位置する第１領域１７Ｆと、図４の右側に位置する第２領域１７Ｓと、に表示される。第１領域１７Ｆは、発色を比較する領域である。第２領域１７Ｓは、明度を比較する領域である。例えば、第１領域１７Ｆの色の成分と、第２領域１７Ｓの色の成分と、は略同一である。表示部１２は、領域１７ａにおいて、第１光調整部１６によって調整された照明負荷３０の光属性に関するデータ（第１データ）を表示する。
【００３３】
領域１７ｂは、増加率ｎを用いて領域１７ａにＲ（レッド）の成分を増加させた領域である。領域１７ｃは、増加率ｎを用いて領域１７ａにＧ（グリーン）の成分を増加させた領域である。領域１７ｄは、増加率ｎを用いて領域１７ａにＢ（ブルー）の成分を増加させた領域である。図４に表されるような画面が表示部１２に表示される場合、領域１７ｂ、領域１７ｃ及び領域１７ｄには、第１光調整部１６によって一時的に決定された照明器具３０の色の成分に、増加率ｎを用いてＲ（レッド）、Ｇ（グリーン）及びＢ（ブルー）の成分をそれぞれ増加した色が表示される。
【００３４】
領域１７ｅは、増加率ｎを用いて領域１７ａにＣ（シアン）の成分を増加させた領域である。領域１７ｆは、増加率ｎを用いて領域１７ａにＭ（マゼンタ）の成分を増加させた領域である。領域１７ｇは、増加率ｎを用いて領域１７ａにＹ（イエロー）の成分を増加させた領域である。図４に表されるような画面が表示部１２に表示される場合、領域１７ｅ、領域１７ｆ及び領域１７ｇには、第１光調整部１６によって一時的に決定された照明器具３０の色の成分に、増加率ｎを用いてＣ（シアン）、Ｍ（マゼンタ）及びＹ（イエロー）の成分をそれぞれ増加した色が表示される。
【００３５】
領域１７ｈ及び領域１７ｉは、明度を表す領域である。領域１７ｈ及び領域１７ｉは、明るい領域及び暗い領域にそれぞれ対応する。図４に表されるような画面が表示部１２に表示される場合、領域１７ｈ及び領域１７ｉには、第１光調整部１６によって一時的に決定された照明器具３０の色の成分に、増加率ｎを用いて明度を増加及び減少した色が表示される。
【００３６】
表示部１２は、領域１７ｂ〜領域１７ｉにおいて、第１光調整部１６によって調整された照明負荷３０の光属性に関するデータを修正した修正データ（第２データ）を表示する。
増加率ｎは、例えば、予め決められた値である。増加率ｎを表示部１２に表示させて、操作部１１による操作によって画面上で増加率ｎを決めても良い。
【００３７】
領域１７ｂ〜領域１７ｇのいずれかに操作部１１による操作が行われる（例えば、マウスをクリックする）と、操作が行われた領域に対応する色の成分が領域１７ａに表された色の成分に増加率ｎを用いて追加される。領域１７ｂ〜領域１７ｇの各々において、操作が行われた領域に対応する色の成分が増加率ｎによって増加する。領域１７ｈ及び領域１７ｉに、色の成分が追加された領域１７ａに対して増加率ｎを用いて明度を増加及び減少した色が表示される。
【００３８】
例えば、図５（ａ）のような第１領域１７Ｆ内の領域１７ｇをマウスでクリックする。図５（ｂ）のように、Ｙ（イエロー）の成分が領域１７ａに表された色の成分に増加率ｎを用いて追加され、領域１７ａの色は、増加率ｎを用いてＹ（イエロー）が追加された色に変化する。つまり、領域１７ｇは、増加率ｎを用いて領域１７ａにＹ（イエロー）の成分を増加させた領域であるので、領域１７ｇをマウスでクリックすると、領域１７ｇ（斜線部分）が領域１７ａに移動することになる。領域１７ｂ〜領域１７ｇの各々において、Ｙ（イエロー）の成分が増加率ｎによって増加するので、色変化した領域１７ｂ〜領域１７ｇが領域１７ａを囲む。
【００３９】
また、第２領域１７Ｓ内の領域１７ｈ及び領域１７ｉにおいて、Ｙ（イエロー）の成分が追加された領域１７ａに対して増加率ｎを用いて明度を増加及び減少した色が表示される。
【００４０】
表示部１２に表示された画面の中央に、照明器具３０の発色に対応する領域１７ａを配置する。Ｒ（レッド）、Ｇ（グリーン）、Ｂ（ブルー）、Ｃ（シアン）、Ｍ（マゼンタ）及びＹ（イエロー）の色の成分に対応する領域１７ｂ、領域１７ｃ、領域１７ｄ、領域１７ｅ、領域１７ｆ及び領域１７ｇを領域１７ａの周囲に配置する。領域１７ｂ〜領域１７ｇのいずれかにマウスをクリックすれば、照明器具３０の発色について、マウスでクリックした領域に対応する色の成分が増加率ｎによって増加する。領域１７ａの色が変化する。
【００４１】
領域１７ａを中心とした場合、Ｒ（レッド）及びＣ（シアン）、Ｇ（グリーン）及びＭ（マゼンタ）、並びにＢ（ブルー）及びＹ（イエロー）は、対称の位置に配置されている。Ｒ（レッド）及びＣ（シアン）、Ｇ（グリーン）及びＭ（マゼンタ）、並びにＢ（ブルー）及びＹ（イエロー）は、それぞれ補色の関係にある。例えば、Ｙ（イエロー）を減少させる場合、Ｙ（イエロー）と補色の関係にあるＢ（ブルー）を表す領域１７ｄにマウスをクリックする。Ｂ（ブルー）が領域１７ａに表された色の成分に増加率ｎを用いて追加される。領域１７ａの色が変化する。
【００４２】
上述したように、第２光調整部１７は、第１光調整部１６によって調整されたデータと、このデータを修正した修正データと、に基づいて照明負荷３０の光属性を調整し、照明負荷３０の発色を決定する。
【００４３】
照明負荷３０の発色が第２光調整部１７によって調整される処理の前に、第２光調整部１７は、以下のような変換処理を実行する。
【００４４】
領域１７ａの色を（Ｒ、Ｇ、Ｂ）に設定する。第１光調整部１６がＲＧＢのカラーモデルを用いて照明負荷３０の発色を調整する場合、領域１７ａの色は、ＲＧＢ値に基づいて保持される。Ｒ値、Ｇ値及びＢ値は、例えば、百分率（％）で表される。第１光調整部１６によって調整されたデータは、赤、緑、青の３原色に基づくデータを有する。
【００４５】
領域１７ｂの色を（Ｒ＋ｎ１、Ｇ、Ｂ）、領域１７ｃの色を（Ｒ、Ｇ＋ｎ１、Ｂ）、領域１７ｄの色を（Ｒ、Ｇ、Ｂ＋ｎ１）に設定する。ｎ１は、色の成分の増加率を表している。例えば、ｎ１は、１から１００までの任意の値である。使用者は、ｎ１に関する数値を設定しても良い。
【００４６】
（Ｒ、Ｇ、Ｂ）を（Ｃ、Ｍ、Ｙ）に変換する。赤、緑、青の３原色に基づくデータが変換される。（Ｒ、Ｇ、Ｂ）から（Ｃ、Ｍ、Ｙ）に変換する方法として周知の方法が用いられる。例えば、以下の変換式（１）〜（４）を用いて（Ｒ、Ｇ、Ｂ）を（Ｃ、Ｍ、Ｙ）に変換する。
【００４７】
Ｃ＝（１．０−Ｒ）−Ｋ・・・（１）
Ｍ＝（１．０−Ｇ）−Ｋ・・・（２）
Ｙ＝（１．０−Ｂ）−Ｋ・・・（３）
Ｋ＝ｍｉｎ｛（１．０−Ｒ），（１．０−Ｇ），（１．０−Ｂ）｝・・・（４）
【００４８】
Ｋは、括弧の中の要素の内で最小値を示している。
【００４９】
領域１７ｅの色を（Ｃ＋ｎ２、Ｍ、Ｙ）、領域１７ｆの色を（Ｃ、Ｍ＋ｎ２、Ｙ）、領域１７ｇの色を（Ｃ、Ｍ、Ｙ＋ｎ２）に設定する。ｎ２は、色の成分の増加率を表している。例えば、ｎ２は、１から１００までの任意の値である。使用者は、ｎ２に関する数値を設定しても良い。ｎ１及びｎ２が同じ値でも良い。
【００５０】
（Ｒ、Ｇ、Ｂ）を（Ｈ、Ｓ、Ｖ）に変換する。赤、緑、青の３原色に基づくデータが変換される。（Ｒ、Ｇ、Ｂ）から（Ｈ、Ｓ、Ｖ）に変換する方法は周知であるので、その詳細な説明は省略する。
【００５１】
領域１７ｈの色を（Ｈ、Ｓ、Ｖ＋ｎ３）、領域１７ｉの色を（Ｈ、Ｓ、Ｖ−ｎ３）に設定する。ｎ３は、色の成分の増加率を表している。例えば、ｎ３は、１から１００までの任意の値である。使用者は、ｎ３に関する数値を設定しても良い。ｎ１、ｎ２及びｎ３は、相互に同じ値でも良く、異なる値でも良い。
【００５２】
第２光調整部１７が上記のような変換処理を実行した後、使用者が操作部１１の操作を実行して照明負荷３０の発色が第２光調整部１７によって調整される。例えば、増加率ｎ１〜ｎ３（％）を相互に同じ値であるｎとした場合、増加率ｎ（％）を変化させることに応じて、領域１７ｂ〜領域１７ｉの色が変化する。
【００５３】
本実施形態において、領域１７ｂ〜領域１７ｇを領域１７ａの周囲に配置し、領域１７ｂ〜領域１７ｇに対応する色の成分の変化が１段階で表されている。領域１７ｂ〜領域１７ｇに対応する色の成分の変化を多段階で表しても良い。例えば、領域１７ｂ〜領域１７ｇの周囲に、領域１７ｂ〜領域１７ｇに対応する６つの領域をさらに設けても良い。
【００５４】
図６は、本実施形態に係る別の第２光調整部を例示する模式図である。
例えば、使用者が操作部１１の操作を実行することで、図６に表されるような画面が表示部１２に表示される。
【００５５】
領域１７ａは、第１光調整部１６によって一時的に決定された照明器具３０の発色が第２光調整部１７によって微調整される領域である。領域１７ｈ及び領域１７ｉは、明度を表す領域である。領域１７ｈ及び領域１７ｉは、明るい領域及び暗い領域にそれぞれ対応する。図６に表されるような画面が表示部１２に表示される場合、領域１７ｈ及び領域１７ｉには、第１光調整部１６によって一時的に決定された照明器具３０の色の成分に、増加率ｎを用いて明度を増加及び減少した色が表示される。
【００５６】
領域１７ｊは、色度図を表している。色度図の中央は白色に対応し、色度図の周囲は単色に対応する。照明器具３０が発色する色の成分は、位置１７ｐによって決定される。位置１７ｐによって決定される色の成分は、領域１７ａに表される。
【００５７】
位置１７ｐに操作部１１による操作が行われて（例えば、マウスを位置１７ｐに合わせてドラッグして）、位置１７ｐが位置１７ｐ’に移動したとする。このような場合、位置１７ｐ’によって決定される色の成分が、領域１７ａに表される。領域１７ａの色が変化して照明器具３０の発色が決定される。領域１７ｈ及び領域１７ｉに、位置１７ｐ’によって決定される色の成分が表された領域１７ａに対して増加率ｎを用いて明度を増加及び減少した色が表示される。
【００５８】
第１光調整部１６によって一時的に決定された照明負荷３０の光属性が第２光調整部１７によって微調整される。照明負荷３０の光属性が第２光調整部１７によって決定される。第２光調整部１７によって決定された照明負荷３０の光属性に関する情報は、制御情報として信号生成部１８に送られる。
【００５９】
信号生成部１８は、制御情報に基づいて制御信号を生成する。制御信号は、制御装置２０に送られる。
【００６０】
照明器具の発色を調整する光調整装置において、ＲＧＢ、ＣＭＹ、ＨＳＶ等のカラーモデルに基づいて発色を調整する場合、照明器具の発色を所望の色に調整することが難しい。
【００６１】
例えば、ＲＧＢのカラーモデルに基づいて発色を調整する場合、Ｒを３３％、Ｇを４６％、Ｂを１００％に設定して照明器具を調色した後、照明器具の発色について、黄色みを強くする操作が使用者によって実行される。このような場合、使用者がＲＧＢの数値（％）を増減する割合を把握することが困難であり、黄色みが強い発色を得ることは難しい。使用者が所望の発色を得ることは容易ではない。また、照明器具を調色した後、照明器具の発色について、明度を増減する操作が使用者によって実行される。このような場合、使用者はＲＧＢの各数値（％）を等しい割合で増減することを把握できるが、ＲＧＢの各数値（％）を等しい割合で増減する操作は煩雑である。
【００６２】
ＲＧＢ、ＣＭＹ、ＨＳＶ等のカラーモデルを切り替えて、照明器具の発色を調整する場合、カラーモデルの切替操作は煩雑である。また、切替操作によって照明器具の発色を調整し難く、調整時間が増加する。
【００６３】
本実施形態では、第１光調整部１６がＲＧＢ、ＣＭＹ、ＨＳＶ等のカラーモデルに基づいて照明負荷３０の光属性を調整した後、第２光調整部１７が第１光調整部１６によって一時的に決定された照明負荷３０の光属性を微調整する。第２光調整部１７が第１光調整部１６によって一時的に決定された照明負荷３０の発色を微調整する。
【００６４】
本実施形態によれば、照明器具の発色の再現性を高くして、操作性が向上した光調整装置および光調整システムが提供される。
【００６５】
図７は、本実施形態に係る光調整システムを用いた光調整方法を例示する図である。
【００６６】
照明負荷３０の光属性を一時的に決定する（ステップＳ１１０）。照明負荷３０の光属性に関するデータ（第１データ）が決定される。例えば、第１光調整部１６は、選択部１５によって選択されたカラーモデルに基づいて照明負荷３０の発色を一時的に決定する。照明負荷３０の発色に関するデータを第２光調整部１７に送信することで照明負荷３０の光属性が一時的に決定されても良い。
【００６７】
照明負荷３０の光属性を決定し、制御情報を伝送する（ステップＳ１２０）。例えば、第１光調整部１６によって一時的に決定された照明負荷３０の発色が第２光調整部１７によって微調整される。照明器具３０の発色が第２光調整部１７によって決定される。第１光調整部１６によって調整されたデータと、このデータを修正した修正データと、に基づいて照明負荷３０の光属性が調整され、照明負荷３０の発色が決定する。第２光調整部１７によって決定された照明負荷３０の発色に関する情報は、制御情報として信号生成部１８に送られる。
【００６８】
信号生成部１８は、制御情報に基づいて生成された制御信号を送信する（ステップＳ１３０）。制御信号は、制御装置２０に送られる。
【００６９】
制御装置２０は、制御信号に基づいて光調整信号を生成し、照明負荷３０に送信する（ステップＳ１４０）。
【００７０】
本実施形態によれば、照明器具の発色の再現性を高くする光調整方法が提供される。
【００７１】
前述した実施形態の機能を実現するように前述した実施形態の構成を動作させるプログラム（例えば、図７の処理を実行するプログラム）を記憶媒体に記憶させ、記憶媒体に記憶されたプログラムをコードとして読み出し、コンピュータにおいて実行する処理方法も上述の実施形態の範疇に含まれる。コンピュータ読み取り記録媒体は、本実施形態の範囲に含まれる。前述のコンピュータプログラムが記憶された記憶媒体は、そのコンピュータプログラム自体も上述の実施形態に含まれる。
【００７２】
記録媒体として、例えば、フロッピー（登録商標）ディスク、ハードディスク、光ディスク、光磁気ディスク、ＣＤ−ＲＯＭ、磁気テープ、不揮発性メモリカード、ＲＯＭ等を用いることができる。
【００７３】
前述の記録媒体に記憶されたプログラム単体で処理を実行しているものに限らず、他のソフトウェア、拡張ボードの機能と共同して、ＯＳ上で動作し前述の実施形態の動作を実行するものも前述した実施形態の範疇に含まれる。
【００７４】
本実施形態によれば、照明器具の発色の再現性を高くして、操作性が向上した光調整装置および光調整システムが提供される。
【００７５】
例えば、光調整システムに含まれる光調整装置、制御装置及び照明負荷、並びに、光調整装置に含まれる操作部、表示部、送信部、制御部、選択部、第１光調整部、第２光調整部及び信号生成部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。また、前述の各実施形態は、相互に組み合わせて実施することができる。
【００７７】
以上、具体例を参照しつつ、本発明の実施の形態について説明した。しかし、本発明は、これらの具体例に限定されるものではない。
【符号の説明】
【００７８】
１０…光調整装置、  １１…操作部、  １２…表示部、  １３…送信部、  １４…制御部、  １５…選択部、  １６…第１光調整部、１６ａ〜１６ｆ、１６ｉ…フェーダー  、  １６ｇ…Ｈ成分、  １６ｈ…Ｓ成分、  １７…第２光調整部、  １７ａ〜１７ｉ…領域、  １７ｊ…色度図、  １７ｐ、１７ｐ’…位置、  １８…信号生成部、  ２０…制御装置、  ３０、３０ａ、３０ｂ、３０ｃ…照明負荷、  １００…光調整システム
【図１】
2015220027.tif 000003
【図２】
2015220027.tif 000004
【図７】
2015220027.tif 000005
【図３】
2015220027.tif 000006
【図４】
2015220027.tif 000007
【図５】
2015220027.tif 000008
【図６】
2015220027.tif 000009